(57)【要約】【解決手段】上枠２と底板３との間で各折畳み側板１５，１６（布等のシート材による柔軟体）と各支持側板１３，１４とを周方向へ交互に並設した周壁４を備えた容器本体１において、容器本体１の展開状態Ｐで、各支持側板１３，１４は上枠２に対し回動可能に支持されて立設され、底板３は、各支持側板１３，１４間に挟持され、各支持側板１３，１４の回動を規制して各支持側板１３，１４の立設状態を保持する。容器本体１の折畳み状態で、各折畳み側板１５，１６が立設状態から上枠２側に折り畳まれて底板３が上枠２側に移動し、各支持側板１３，１４は、底板３による回動規制から解除され、立設状態から回動して上枠２側に折り畳まれ、各折畳み側板１５，１６と底板３とは上枠２と各支持側板１３，１４との間で互いに並んで収容される。【効果】携帯用折畳み容器を買物容器に利用する場合、運搬時や保管時に嵩張ることがなく利便性を良くすることができる。【選択図】図１
2009051547.tif 000002
【特許請求の範囲】
【請求項１】
上枠と底板との間でそれらの外周には複数の折畳み側板と複数の支持側板とを周方向へ交互に並設した周壁を備えた容器本体において、
その容器本体の展開状態で、各支持側板は上枠に対し回動可能に支持されて上枠と底板との間で立設され、底板は、この各支持側板間に設けられ、各支持側板の回動を規制して各支持側板の立設状態を保持し、
その容器本体の折畳み状態で、各折畳み側板が立設状態から上枠側に折り畳まれて底板が上枠側に移動し、各支持側板は、底板による回動規制から解除され、立設状態から回動して上枠側に折り畳まれ、各折畳み側板と底板とは上枠と各支持側板との間で互いに並んで収容される
ことを特徴とする携帯用折畳み容器。
【請求項２】
前記折畳み側板は立設状態から上枠側に折り畳むための柔軟体を有していることを特徴とする請求項１に記載の携帯用折畳み容器。
【請求項３】
前記柔軟体は底板と上枠との間に架設されていることを特徴とする請求項２に記載の携帯用折畳み容器。
【請求項４】
前記柔軟体は、立設状態から上枠側に折り畳み得るシート材により成形されていることを特徴とする請求項２または請求項３に記載の携帯用折畳み容器。
【請求項５】
前記支持側板には容器本体の展開状態で前記底板を載置する台部を設けたことを特徴とする請求項１から請求項４のうちいずれかの請求項に記載の携帯用折畳み容器。
【請求項６】
前記容器本体の展開状態で、前記底板が横方向へ移動するのを規制するように各支持側板にストッパを設けたことを特徴とする請求項１から請求項５のうちいずれかの請求項に記載の携帯用折畳み容器。
【請求項７】
前記容器本体の展開状態で、各支持側板が立設状態から上枠側に折り畳まれる回動向きに対する反対向き側に各支持側板が回動するのを規制するように、上枠と各支持側板との間にストッパを設けたことを特徴とする請求項１から請求項６のうちいずれかの請求項に記載の携帯用折畳み容器。
【発明の詳細な説明】
【技術分野】
【０００１】
本発明は買物容器などに利用することができる携帯用折畳み容器に関するものである。
【背景技術】
【０００２】
スーパーなどでは、一般に、レジ用かごやレジ用カートに商品を入れてレジで精算した後、レジで貰った樹脂袋にレジ用かごやレジ用カートから商品を移していた。最近、樹脂袋の多用が環境に及ぼす悪影響を考慮して樹脂袋の有料化が進められている。そのような樹脂袋に代えて買物容器を持参する客も多い。
【発明の開示】
【発明が解決しようとする課題】
【０００３】
客が持参する買物容器としては布袋が多い。しかし、収容量の少ない布袋の場合、商品の量が多いと複数の布袋を用意しなければならない。また、柔軟な布袋の場合、樹脂袋と同様に、収容された商品が安定せず傾いたり型くずれしたりして商品価値が下がるおそれがあった。そこで、収容量が多くある程度の剛性を有するレジ用かごと同種の買物かごを持参することも可能であるが、買い物の往復時に買物かごが嵩張る問題があった。
【０００４】
この発明は、例えば買物容器として利用する場合、運搬時や保管時に嵩張ることがなく利便性の良い携帯用折畳み容器を提供することを目的としている。
【課題を解決するための手段】
【０００５】
後記実施形態の図面（図１〜４）の符号を援用して本発明を説明する。
請求項１の発明にかかる携帯用折畳み容器は、下記のように構成されている。
上枠２と底板３との間でそれらの外周には複数の折畳み側板１５，１６と複数の支持側板１３，１４とを周方向へ交互に並設した周壁４を備えた容器本体１において、その容器本体１の展開状態Ｐで、各支持側板１３，１４は上枠２に対し回動可能に支持されて上枠２と底板３との間で立設され、底板３は、この各支持側板１３，１４間に設けられ、各支持側板１３，１４の回動を規制して各支持側板１３，１４の立設状態を保持する。その容器本体１の折畳み状態Ｑで、各折畳み側板１５，１６が立設状態から上枠２側に折り畳まれて底板３が上枠２側に移動し、各支持側板１３，１４は、底板３による回動規制から解除され、立設状態から回動して上枠２側に折り畳まれ、各折畳み側板１５，１６と底板３とは上枠２と各支持側板１３，１４との間で互いに並んで収容される。
【０００６】
請求項１の発明では、展開状態Ｐの容器本体１を買物かごとして利用することができるばかりでなく、買い物の往復時や実際の買い物時に容器本体１を折畳み状態Ｑにすれば、容器本体１が嵩張らず、容器本体１を容易に運搬したり保管したりすることができる。また、容器本体１の展開状態Ｐで、底板３を利用した簡単な構造により、各支持側板１３，１４を立設状態で保持することができる。さらに、容器本体１の折畳み状態Ｑで、容器本体１をコンパクトに折り畳むことができる。
【０００７】
請求項１の発明を前提とする請求項２の発明において、前記折畳み側板１５，１６は立設状態から上枠２側に折り畳むための柔軟体を有している。請求項２の発明を前提とする請求項３の発明において、前記柔軟体は底板３と上枠２との間に架設されている。請求項２または請求項３の発明を前提とする請求項４の発明において、前記柔軟体は、立設状態から上枠２側に折り畳み得るシート材により成形されている。請求項２〜４の発明では、容器本体１の内外を仕切る機能を有するシート材等の柔軟体により、容器本体１を簡単に折り畳むことができる。また、請求項３の発明では、折畳み側板１５，１６を簡単な構造にすることができる。
【０００８】
請求項１から請求項４のうちいずれかの請求項の発明を前提とする請求項５の発明において、前記支持側板１３，１４には容器本体１の展開状態Ｐで前記底板３を載置する台部１８ｂを設けた。請求項５の発明では、容器本体１の展開状態Ｐで、支持側板１３，１４を利用した簡単な構造により、底板３を支えることができる。
【０００９】
請求項１から請求項５のうちいずれかの請求項の発明を前提とする請求項６の発明において、前記容器本体１の展開状態Ｐで、前記底板３が横方向Ｘ，Ｙへ移動するのを規制するように各支持側板１３，１４にストッパ１８ａ，１８ｃを設けた。請求項６の発明では、容器本体１の展開状態Ｐで、支持側板１３，１４を利用した簡単な構造により、底板３を支えることができる。
【００１０】
請求項１から請求項６のうちいずれかの請求項の発明を前提とする請求項７の発明においては、前記容器本体１の展開状態Ｐで、各支持側板１３，１４が立設状態から上枠２側に折り畳まれる回動向きＲＱに対する反対向きＲＰ側に各支持側板１３，１４が回動するのを規制するように、上枠２と各支持側板１３，１４との間にストッパ５ａ，６ａ，１７ａを設けている。請求項７の発明では、容器本体１の展開状態Ｐで、上枠２を利用した簡単な構造により、各支持側板１３，１４を立設状態で保持することができる。
【発明の効果】
【００１１】
本発明は、携帯用折畳み容器を例えば買物容器として利用する場合、運搬時や保管時に嵩張ることがなく利便性を良くすることができる。
【発明を実施するための最良の形態】
【００１２】
以下、本発明の一実施形態に係る携帯用折畳み容器について図面を参照して説明する。
図１及び図３（ａ）（ｂ）に示すように、展開状態Ｐの携帯用折畳み容器は、例えば買い物容器として利用され、その容器本体１においては上枠２と底板３との間でそれらの外周に周壁４が設けられている。この上枠２は、高分子材料（ある程度の剛性を保つことができる各種樹脂）により成形され、前枠部５と後枠部６と左枠部７と右枠部８とから環状をなしている。この底板３は、高分子材料（ある程度の剛性を保つことができる各種樹脂）により成形され、外周に前縁部９と後縁部１０と左縁部１１と右縁部１２とを有している。
【００１３】
前記周壁４は、上枠２の前枠部５と底板３の前縁部９との間に配設された前側支持側板１３と、上枠２の後枠部６と底板３の後縁部１０との間に配設された後側支持側板１４と、上枠２の左枠部７と底板３の左縁部１１との間に配設された左側折畳み側板１５と、上枠２の右枠部８と底板３の右縁部１２との間に配設された右側折畳み側板１６とからなる。この前側支持側板１３と後側支持側板１４とが前後方向Ｘ（上下方向Ｚに対し直交する横方向）で相対向するとともに、この左側折畳み側板１５と右側折畳み側板１６とが左右方向Ｙ（上下方向Ｚに対し直交する横方向）で相対向し、その各支持側板１３，１４と各折畳み側板１５，１６とが周方向へ交互に並設されている。
【００１４】
前記前側支持側板１３及び後側支持側板１４は、それぞれ、外周に上縁部１７と下縁部１８と左縁部１９と右縁部２０とを有している。この前側支持側板１３はその上縁部１７で上枠２の前枠部５に対し支軸２１（回動中心線２１ａ）により回動可能に支持されて上枠２の前枠部５と底板３の前縁部９との間で立設されている。この後側支持側板１４はその上縁部１７で上枠２の後枠部６に対し支軸２１（回動中心線２１ａ）により回動可能に支持されて上枠２の後枠部６と底板３の後縁部１０との間で立設されている。この前側支持側板１３の下縁部１８と後側支持側板１４の下縁部１８との間に底板３が挟持されている。
【００１５】
前記左側折畳み側板１５及び右側折畳み側板１６は、それぞれ、外周に上縁部２２と下縁部２３と前縁部２４と後縁部２５とを有する柔軟体からなる。この左側折畳み側板１５は、上縁部２２で上枠２の左枠部７に取着されているとともに下縁部２３で底板３の左縁部１１に取着されてそれらの間に架設され、前縁部２４で前側支持側板１３の左縁部１９に沿うとともに後縁部２５で後側支持側板１４の左縁部１９に沿う。この右側折畳み側板１６は、上縁部２２で上枠２の右枠部８に取着されているとともに下縁部２３で底板３の右縁部１２に取着されてそれらの間に架設され、前縁部２４で前側支持側板１３の右縁部２０に沿うとともに後縁部２５で後側支持側板１４の右縁部２０に沿う。これらの柔軟体は布や樹脂などのシート材により成形され、三次元方向（前後方向Ｘや左右方向Ｙや上下方向Ｚ）で自在に折り曲げることができる。
【００１６】
前記前側支持側板１３は、下縁部１８のストッパ１８ａで底板３の前縁部９のストッパ９ａに係止されるため、立設状態から上枠２側に折り畳まれる向きＲＱへ回動するのを規制される。前記後側支持側板１４は、下縁部１８のストッパ１８ａで底板３の後縁部１０のストッパ１０ａに係止されるため、立設状態から上枠２側に折り畳まれる向きＲＱへ回動するのを規制される。また、この前側支持側板１３は、上縁部１７のストッパ１７ａで上枠２の前枠部５のストッパ５ａに係止されるため、立設状態から上枠２側に折り畳まれる向きＲＱに対する反対向きＲＰ側に回動するのを規制される。この後側支持側板１４は、上縁部１７のストッパ１７ａで上枠２の後枠部６のストッパ６ａに係止されるため、立設状態から上枠２側に折り畳まれる向きＲＱに対する反対向きＲＰ側に回動するのを規制される。この底板３は、前縁部９で前側支持側板１３の下縁部１８の台部１８ｂに載置されるとともにその下縁部１８のストッパ１８ａ及び左右両壁部１８ｃ（ストッパ）に係止されて前後方向Ｘ、左右方向Ｙ及び上下方向Ｚへ移動するのを規制され、後縁部１０で後側支持側板１４の下縁部１８の台部１８ｂに載置されるとともにその下縁部１８のストッパ１８ａ及び左右両壁部１８ｃ（ストッパ）に係止されて前後方向Ｘ、左右方向Ｙ及び上下方向Ｚへ移動するのを規制される。
【００１７】
さて、図１及び図３（ａ）（ｂ）に示す容器本体１の展開状態Ｐでは、上枠２が開放され、上枠２の両側に取り付けられた取っ手２６がその上枠２に寝かされた不使用状態になっている。その不使用状態から両取っ手２６を引き上げて使用状態にし、買い物後に商品を上枠２から容器本体１に入れ、この両取っ手２６を把持して容器本体１を支え持つことができる。
【００１８】
この容器本体１の展開状態Ｐで、左側折畳み側板１５及び右側折畳み側板１６である柔軟体を折り畳みながら、底板３を上枠２側に移動させると、前側支持側板１３及び後側支持側板１４が底板３による係止から解除されて左右両支軸２１の回動中心線２１ａを中心に回動可能となる。その前側支持側板１３及び後側支持側板１４を上枠２側に折り畳むと、図２及び図４（ａ）（ｂ）に示すように、容器本体１が折畳み状態Ｑになり、前側支持側板１３の下縁部１８側と後側支持側板１４の下縁部１８側とが互いに重なるとともに、その前側支持側板１３及び後側支持側板１４と上枠２との間に底板３及び柔軟体が互いに並んで収容される。
【００１９】
本実施形態は下記の効果を有する。
＊  スーパーなどでレジ用かごやレジ用カートに商品を入れてレジで精算した後、展開状態Ｐの容器本体１にレジ用かごやレジ用カートから商品を移し、その容器本体１を取っ手２６により支え持って容易に運搬したり保管したりすることができる。
【００２０】
＊  買い物の往復時や実際の買い物時に容器本体１を折畳み状態Ｑにすれば、容器本体１をコンパクトに折り畳むことができ、容器本体１が嵩張らず、容器本体１を容易に運搬したり保管したりすることができる。
【００２１】
＊  左右両折畳み側板１５，１６の全体が布などのシート材による柔軟体であるため、その柔軟体は、周壁４として容器本体１の内外を仕切る機能ばかりでなく、容器本体１を簡単な構造で折り畳む機能も有する。
【００２２】
＊  容器本体１の展開状態Ｐで、底板３及び上枠２を利用した簡単な構造により、各支持側板１３，１４を立設状態で保持することができる。また、各支持側板１３，１４を利用した簡単な構造により、底板３を支えることができる。
【００２３】
前記実施形態以外にも例えば下記のように構成してもよい。
・  支持側板１３，１４及び折畳み側板１５，１６をそれぞれ三以上設ける。
・  各折畳み側板１５，１６の一部にのみ、布などのシート材による柔軟体を設ける。
【００２４】
・  各支持側板１３，１４間を固定部材により連結して、容器本体１の展開状態Ｐで各支持側板１３，１４が立設状態から上枠２側に折り畳まれる回動向きＲＱに対する反対向きＲＰ側に回動するのを規制する。
【００２５】
・  前記実施形態において、上枠２を閉塞する蓋を設ける。
・  前記実施形態において、前側支持側板１３及び後側支持側板１４や底板３に網目部分を設ける。
【図面の簡単な説明】
【００２６】
【図１】本実施形態にかかる携帯用折畳み容器の展開状態を示す斜視図である。
【図２】本実施形態にかかる携帯用折畳み容器の折畳み状態を示す斜視図である。
【図３】（ａ）は図１を側面側から見た縦断面図であり、（ｂ）は図１を正面側から見た縦断面図である。
【図４】（ａ）は図２を側面側から見た縦断面図であり、（ｂ）は図２を正面側から見た縦断面図である。
【符号の説明】
【００２７】
１…容器本体、２…上枠、３…底板、４…周壁、５ａ，６ａ，９ａ，１７ａ…ストッパ、１３，１４…支持側板、１５，１６…折畳み側板、１８ａ…ストッパ、１８ｂ…台部、１８ｃ…ストッパとしての壁部、Ｐ…容器本体の展開状態、Ｑ…容器本体の折畳み状態。
【図１】
2009051547.tif 000003
【図２】
2009051547.tif 000004
【図３】
2009051547.tif 000005
【図４】
2009051547.tif 000006